(57)【特許請求の範囲】
【請求項１】
複数の歯間ブラシが収容可能なケース本体と、
前記ケース本体に嵌合されて、該ケース本体の上端開口を開閉可能に閉じる蓋体と、
ケース本体又は蓋体のいずれか一方の外面に設けられ、閉蓋状態の下で、使用中の歯間ブラシを着脱自在に保持するための保持部と、
を備え、
保持部が、蓋体天壁に設けられケース本体内に連通する下向き短筒状部と、ケース本体に設けられ前記下向き短筒状部に対応する上面開口の上向き短筒状部とからなり、
閉蓋状態の下で、両短筒状部の対応端部が当接するものと構成されていることを特徴とする歯間ブラシ用容器。
【請求項２】
前記ケース本体及び蓋体が透明材で構成されている請求項１に記載の歯間ブラシ用容器。
【発明の詳細な説明】
【技術分野】
【０００１】
この発明は、歯の隙間などを清掃するための複数の歯間ブラシを保管用あるいは携帯用に供される歯間ブラシ用容器に関する。
【背景技術】
【０００２】
一般に、歯間ブラシは、ブラシ部の基端部を合成樹脂製柄部に固定した構造のものが多い。
【０００３】
従来の歯間ブラシとして、歯間ブラシの基端部を柄部材の先端部に取り付けるようにした技術が開示されている（例えば、特許文献１参照）。
【０００４】
また、メーカーで歯間ブラシを出荷する場合、多数の歯間ブラシを合成樹脂製パックに収容し、それを封止してパッケージとしているのが一般的である。
【特許文献１】特開平９−４７３２２号公報
【発明の開示】
【発明が解決しようとする課題】
【０００５】
ところで、ユーザーが前記歯間ブラシ収容パッケージを開封し、複数の歯間ブラシを取り出した場合、それら歯間ブラシを洗面所付近に一括保管できれば便利であるが、前述したパックは、歯間ブラシを詰めておくだけのもので、保管用に構成されていないから、ユーザーは別途、歯間ブラシの保管のために、適当な大きさの蓋付き容器を用意しなければならなかった。
【０００６】
また、歯間ブラシを洗面所などで使用する場合、使用中の歯間ブラシが汚れにくいように、例えば起立状態で洗面台上に一時的に載置できればよいが、歯間ブラシを洗面台上に自立させることはできない。従って、歯間ブラシをそのまま洗面所などに寝かせて置いた場合、歯間ブラシのブラシ部が付近のものに触れたり汚れやたりして非衛生的になりやすく、また、洗面台上から転げ落ちるおそれもある。
【０００７】
多数の未使用歯間ブラシを収容するために別途、用意した容器に、使用中の歯間ブラシも収容することも考えられるが、その場合、使用中の歯間ブラシと未使用の歯間ブラシとが混在するおそれがある。
【０００８】
この発明は、上記実情に鑑みてなされたものであり、未使用の歯間ブラシの保管及び携帯、使用中の歯間ブラシの保管に便利な歯間ブラシ用容器を提供することを課題とする。
【課題を解決するための手段】
【０００９】
上記課題は、以下の手段によって解決される。
【００１０】
（１）複数の歯間ブラシが収容可能なケース本体と、前記ケース本体に嵌合されて、該ケース本体の上端開口を開閉可能に閉じる蓋体と、ケース本体又は蓋体のいずれか一方の外面に設けられ、閉蓋状態の下で、使用中の歯間ブラシを着脱自在に保持するための保持部と、を備えていることを特徴とする歯間ブラシ用容器。
【００１１】
（２）保持部が、蓋体天壁に設けられ容器本体内に連通する下向き短筒状部と、ケース本体に設けられ前記短筒状部に対応する上面開口の上向き短筒状部とからなり、閉蓋状態の下で、両短筒状部の対応端部が当接するものと構成されている請求項１に記載の歯間ブラシ用容器。
【００１２】
（３）前記上下のケースが透明材で構成されている前項（１）に記載の歯間ブラシ用容器。
【発明の効果】
【００１３】
前項（１）に記載の発明によれば、蓋体を開ければ、ケース本体に複数の歯間ブラシをそのまま収容することができる。従って、洗面所付近に置いておけば、ユーザーは、例えば歯間ブラシ収容パッケージから多数の歯間ブラシを取り出し際に、別途、適当な大きさの蓋付きの容器を用意していなくても、それら歯間ブラシをケース本体にそのまま収容できる。そして、歯間ブラシを収容してから蓋体で閉じておけば、歯間ブラシが汚れたすることもなく、いつでも使える状態で保管することができる。
【００１４】
また、歯間ブラシを蓋体本体の外面から着脱できるように保持する保持部を設けてあるから、洗面所などで使用中の歯間ブラシを、未使用の歯間ブラシとは区別してその保持部に保持させることができるうえ、いつでも再使用できる状態に一時保管することができ、しかも、使用中の歯間ブラシが洗面所から落ちたり、汚れたりする心配もなくなる。
【００１５】
前項（２）に記載の発明によれば、歯間ブラシの保持が行えることはもとより、保持部が、蓋体天壁に設けられ容器本体内に連通する下向き短筒状部と、ケース本体に設けられ前記短筒状部に対応する上面開口の上向き短筒状部とからなり、閉蓋状態の下で、両短筒状部の対応端部が当接するものと構成されているから、
保持部に歯間ブラシを差し込んで保持させた時にも、ケースの密閉状態が保たれ、ケース内の歯間ブラシが衛生的に保管されることになる。
【００１６】
前項（３）に記載の発明によれば、蓋体本体が透明材で構成されているから、蓋体を取ってケース本体を開けなくても、内部に収容した複数の歯間ブラシの残量具合などをいつでも容易に把握することができる。
【発明を実施するための最良の形態】
【００１７】
以下、この発明の実施形態を図面に基づいて説明する。
【００１８】
図１および図２は、それぞれこの発明の実施形態に係る歯間ブラシ用容器を示す分解斜視図および断面図である。
【００１９】
図１および図２において、この歯間ブラシ用容器Ａは、ケース本体１と  、蓋体２と、使用中の歯間ブラシ４の保持部３とを備えている。
【００２０】
なお、ここでの歯間ブラシ４は、例えばブラシ部４１と合成樹脂製の基部４２とからなり、前記基部４２は、胴体４２ａの軸方向の両端に鍔部４２ｂ，４２ｃが形成された略糸巻形に形成されている。
【００２１】
この歯間ブラシ４は、前記基部４２を掴んで使用してもよいが、ここでは、持ちやすくさせるために、歯間ブラシ４の基部４２に連結可能なハンドル５が用意されている。
【００２２】
このハンドル５は、例えば合成樹脂製の棒状の摘まみ部５１を有し、その摘み部５１の先端には、前記歯間ブラシ４の基部４２における胴体４２ａを離脱可能に抱持するために、平面形状が略Ｃ字形の抱持部５２が一体形成されている。
【００２３】
なお、歯間ブラシ４の胴体４２ａを前記抱持部５２に横から嵌めて装着した状態では、前記鍔部４２ｂ，４２ｃが抱持部５２を軸方向から挟むから、歯間ブラシ４がハンドル５に対してぐらつくことなく適正に装着されることになる。
【００２４】
前記ケース本体１は、複数の歯間ブラシ４を保管するためのものであり、例えば透明な合成樹脂により浅い円筒形に成形されている。なお、この例におけるケース本体１は、前記歯間ブラシ４のみならず、摘まみ部材５も収容可能な大きさになっている。
【００２５】
このケース本体１は、その底壁１ａが収容部位の直径よりも大径に設定されており、これにより、洗面所などに一層安定状態で設置できるようになっている。
【００２６】
このケース本体１の底壁１ａの内面に、例えば中央部に位置して上面開口の短筒状部１１が一体形成により立設されており、この短筒状部１１の上端には、環状の段部１１ａが形成されている。
【００２７】
前記蓋体２は、前記ケース本体１の開口１ｂを開閉可能に閉じるカバーを構成するものであり、例えば透明の合成樹脂により浅い円筒形に成形されており、ケース本体１に外嵌されるようになっている。
【００２８】
前記蓋体２の上壁２ａの外面には、ケース本体１における円筒部１１と同軸状に位置して、摘まみ部材５に装着されている使用中の歯間ブラシ４を一時保管する際に、摘まみ部材５を立てて差し込みできる差し込み孔２１が該上壁２ａを貫通して形成されている。
【００２９】
さらに、蓋体２の上壁２ａの内面には、差し込み孔２１を同軸上で取り囲む短筒状部２２が一体形成により下向きに垂設されており、この短筒状部２２の下端には、前記下側円筒部１１の環状段部１１ａに嵌合する環状の嵌合突部２２ａが形成されている。
【００３０】
前記歯間ブラシ４の保持部３は、前記差し込み孔２１、下向き短筒状部２２および上向き短筒状部１１などにより構成されており、使用中の歯間ブラシ４を前記ハンドル５を介して前記差し込み孔２１に差し込んだ際に、該歯間ブラシ４を蓋体本体１，２の外面から着脱可能な状態で保持できるようになっている。
【００３１】
つぎに、上記構成の歯間ブラシ用容器Ａの使用手順を説明する。
【００３２】
ケース本体１に対して蓋体２を上方へ抜き取り操作すれば、図１に示すように、ケース本体１の開口１ｂが開放される。
【００３３】
この状態で、例えば図示しないパッケージから多数の歯間ブラシ４を取り出した時に、それら歯間ブラシ４をそのまま前記ケース本体１に収容することができる。そして、再度、蓋体２で閉じてから、この歯間ブラシ用容器Ａを洗面台Ｍなどに置けるので、多数の歯間ブラシ４を汚すことなく、いつでも使える状態で保管することができる。
【００３４】
また、このような保管容器Ａを洗面所などに置いておけば、一つの歯間ブラシ４をハンドル５に装着して使用している場合、その使用中の歯間ブラシ４を摘まみ部材５に装着した状態のまま、該摘まみ部材５の基端側から前記差し込み孔２１に差し込めば、その歯間ブラシ４が起立状態に保持されることになる。従って、洗面台Ｍ上に寝かせ置く場合のように、転がり落ちたりすることもなくなり、また、ブラシ部４１が付近のものに触れて汚れたりするおそれも少なくなり、良好に一時保管することができる。
【００３５】
なお、この例では、前記差し込み孔２１の開口縁部を上方へ向かって拡径するガイド斜面２１ａで構成してあるから、このガイド斜面２１ａが前記ハンドル５を差し込む際の案内部として作用し、スムースに差し込むことができる。
【００３６】
また、蓋体２を開けたりしなくても、保持部３から歯間ブラシ４をハンドルごと引き抜けるから、その使用途中であった歯間ブラシ４をいつでも直ぐに再使用することができ、使い勝手が良くなる。
【００３７】
なお、蓋体本体１，２の構成材は任意に選択・設定できるものであるが、この例のように透明な合成樹脂で成形してあると、蓋体２を外さなくても、保管中の歯間ブラシ４の数の減り具合などをケース１，２の外から視て容易に把握することができる。
【００３８】
ところで、上記実施形態では、前記保持部３に対して、一つの歯間ブラシ４が装着されたハンドル５を差し込んで保持させるようにしたが、あえてハンドル５を必要としない掴み易いタイプの歯間ブラシ４の基部４２を直接、差し込み保持する構成であってもよい。
【００３９】
また、前記保持部３については、歯間ブラシ４の単独ないしは摘まみ部材付きの歯間ブラシを起立状態で保持するものを例に説明したが、例えば蓋体２の上壁２ａの上面に凹所あるいは挟持片（いずれも図示せず）を設けて、その凹所あるいは挟持片に歯間ブラシ４単独ないしは摘まみ部材付歯間ブラシ４を寝かせた状態で保持させるようにしたり、する構成も可能である。
【００４０】
さらに、前記保持部３は１個に限らず、複数個を設けることも可能である。
【００４１】
さらにまた、前記蓋体２およびケース本体１の形状は、円筒形に限られるものではなく、角形などの任意の形状が選択できるものである。その場合、蓋体２およびケース本体１の平面形状を、例えば花ないしは動物などに模した外形にデザイン化するとともに、それらの特徴部位に前記保持部３を設けることにより、外観デザインに飽きがこない保管容器Ａを提供することが可能となる。
【図面の簡単な説明】
【００４２】
【図１】この発明の実施形態に係る歯間ブラシ用容器を示す分解斜視図である。
【図２】同じく歯間ブラシ用容器を使用状態で示す断面図である。
【符号の説明】
【００４３】
１        ケース本体
１ｂ      ケース本体の開口
２        蓋体
３        保持部
４        歯間ブラシ
Ａ        歯間ブラシ用容器
【図１】
0004732914.tif 000002
【図２】
0004732914.tif 000003